(57)【要約】【課題】パスワードを入力するユーザーの手の動きから当該パスワードが第三者に漏洩することを抑制可能な表示入力装置、情報処理装置、及び表示入力方法を提供すること。【解決手段】画像処理装置は、入力画面Ｇ１０の対応関係情報表示部Ｇ１２に操作キーＧ１１０〜Ｇ１１９と複数の文字との対応関係を示す対応関係情報を表示させる表示処理部と、前記対応関係情報に基づいて、操作キーＧ１１０〜Ｇ１１９のいずれかへの操作を当該操作キーに対応する文字の入力操作として受け付ける受付処理部と、所定の特定回数の前記入力操作が行われた場合に、前記対応関係を変更する変更処理部と、を備える。【選択図】図３
2019053662.tif 000002
【特許請求の範囲】
【請求項１】
複数の文字と予め設定された文字数のパスワードの入力に用いられる複数の操作キーとの対応関係を示す対応関係情報に基づいて、前記操作キーの操作を当該操作キーに対応する前記文字の入力操作として受け付ける受付処理部と、
前記文字数未満の予め設定された特定回数の前記操作キーの入力操作が行われた場合に又は予め設定された特定間隔で前記対応関係を変更する変更処理部と、
前記対応関係情報を前記操作キーとは異なる位置であって前記パスワードの入力に用いられる入力画面上の予め定められた位置に表示させる表示処理部と、
を備える表示入力装置。
【請求項２】
前記表示処理部は、前記対応関係情報を前記入力画面上における左右方向の中央部であって且つ上下方向の下側に表示させる、
請求項１に記載の表示入力装置。
【請求項３】
前記表示処理部は、前記対応関係情報を前記入力画面上における左右方向の一方側の端部に表示させると共に、複数の前記操作キーを前記入力画面における左右方向の他方側の端部に表示させる、
請求項１に記載の表示入力装置。
【請求項４】
前記表示処理部は、互いに前記対応関係が異なる複数の前記対応関係情報を前記入力画面上に表示させ、
前記受付処理部は、複数の前記対応関係情報のうちいずれか一つの第１対応関係情報に基づいて、前記操作キーの操作を当該操作キーに対応する前記文字の入力操作として受け付け、
前記変更処理部は、前記特定回数の前記操作キーの入力操作が行われた場合に又は予め設定された特定間隔で前記対応関係各々を変更する、
請求項１〜３のいずれかに記載の表示入力装置。
【請求項５】
前記表示処理部は、前記変更処理部によって前記対応関係各々が変更される場合に、前記第１対応関係情報の表示位置と複数の前記対応関係情報のうち前記第１対応関係情報とは異なる第２対応関係情報のいずれかの表示位置とを入れ替える、
請求項４に記載の表示入力装置。
【請求項６】
前記表示処理部は、ユーザー操作に応じて、前記入力画面に表示されている前記対応関係情報の表示サイズ及び表示濃度のいずれか一方又は両方を変更する、
請求項１〜５のいずれかに記載の表示入力装置。
【請求項７】
前記表示処理部は、ユーザー操作に応じて、前記入力画面に表示される前記操作キーの表示サイズ及び表示濃度のいずれか一方又は両方を変更する、
請求項１〜６のいずれかに記載の表示入力装置。
【請求項８】
前記表示処理部は、前記操作キーが操作された場合に、予め設定された表示時間の間、前記入力画面に表示されている前記対応関係情報に含まれる当該操作キーに対応する前記文字を他の前記文字と識別可能に表示させる、
請求項１〜７のいずれかに記載の表示入力装置。
【請求項９】
請求項１〜８のいずれかに記載の表示入力装置を備える情報処理装置。
【請求項１０】
複数の文字と予め設定された文字数のパスワードの入力に用いられる複数の操作キーとの対応関係を示す対応関係情報に基づいて、前記操作キーの操作を当該操作キーに対応する前記文字の入力操作として受け付けることと、
前記文字数未満の予め設定された特定回数の前記操作キーの入力操作が行われた場合に又は予め設定された特定間隔で前記対応関係を変更することと、
前記対応関係情報を前記操作キーとは異なる位置であって前記パスワードの入力に用いられる入力画面上の予め定められた位置に表示させることと、
を含む表示入力方法。
【発明の詳細な説明】
【技術分野】
【０００１】
本発明は、表示入力装置、表示入力装置を備える情報処理装置、及び表示入力装置で実行される表示入力方法に関する。
【背景技術】
【０００２】
パーソナルコンピューターなどの情報処理装置では、ユーザーを認証する認証処理が実行されることがある。この種の情報処理装置では、前記認証処理が実行される場合に、パスワードの入力に用いられる入力画面が表示部に表示される。そして、前記入力画面で入力されたパスワードに基づいて認証の成否が判定される。
【０００３】
ところで、ユーザーが情報処理装置にパスワードを入力する際に、当該パスワードを入力するユーザーの手の動きから、当該パスワードが第三者に知られることがある。これに対し、複数の操作キーと複数の文字との対応関係を示す対応関係情報を表示部に表示させて、前記対応関係情報に基づいて、いずれかの操作キーの操作に応じて入力される文字を特定する構成が関連技術として知られている（例えば、特許文献１参照）。
【先行技術文献】
【特許文献】
【０００４】
【特許文献１】特開２００５−１８５６９号公報
【発明の概要】
【発明が解決しようとする課題】
【０００５】
しかしながら、上述の関連技術では、表示部に表示される前記対応関係情報が第三者によって記憶された場合に、パスワードを入力するユーザーの手の動きから、当該パスワードが当該第三者に漏洩するおそれがある。
【０００６】
本発明の目的は、パスワードを入力するユーザーの手の動きから当該パスワードが第三者に漏洩することを抑制可能な表示入力装置、情報処理装置、及び表示入力方法を提供することにある。
【課題を解決するための手段】
【０００７】
本発明の一の局面に係る表示入力装置は、受付処理部と、変更処理部と、表示処理部とを備える。前記受付処理部は、複数の文字と予め設定された文字数のパスワードの入力に用いられる複数の操作キーとの対応関係を示す対応関係情報に基づいて、前記操作キーの操作を当該操作キーに対応する前記文字の入力操作として受け付ける。前記変更処理部は、前記文字数未満の予め設定された特定回数の前記操作キーの入力操作が行われた場合に又は予め設定された特定間隔で前記対応関係を変更する。前記表示処理部は、前記対応関係情報を前記操作キーとは異なる位置であって前記パスワードの入力に用いられる入力画面上の予め定められた位置に表示させる。
【０００８】
本発明の他の局面に係る情報処理装置は、前記表示入力装置を備える。
【０００９】
本発明の他の局面に係る表示入力方法は、複数の文字と予め設定された文字数のパスワードの入力に用いられる複数の操作キーとの対応関係を示す対応関係情報に基づいて、前記操作キーの操作を当該操作キーに対応する前記文字の入力操作として受け付けることと、前記文字数未満の予め設定された特定回数の前記操作キーの入力操作が行われた場合に又は予め設定された特定間隔で前記対応関係を変更することと、前記対応関係情報を前記操作キーとは異なる位置であって前記パスワードの入力に用いられる入力画面上の予め定められた位置に表示させることと、を含む。
【発明の効果】
【００１０】
本発明によれば、パスワードを入力するユーザーの手の動きから当該パスワードが第三者に漏洩することを抑制可能な表示入力装置、情報処理装置、及び表示入力方法が実現される。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で表示される入力画面の一例を示す図である。
【図４】図４は、本発明の実施形態に係る画像処理装置で表示される入力画面の一例を示す図である。
【図５】図５は、本発明の実施形態に係る画像処理装置で実行される認証処理の一例を示すフローチャートである。
【図６】図６は、本発明の実施形態に係る画像処理装置で実行される入力受付処理の一例を示すフローチャートである。
【図７】図７は、本発明の他の実施形態に係る画像処理装置で表示される入力画面の一例を示す図である。
【図８】図８は、本発明の他の実施形態に係る画像処理装置で表示される入力画面の一例を示す図である。
【図９】図９は、本発明の他の実施形態に係る画像処理装置で表示される入力画面の一例を示す図である。
【図１０】図１０は、本発明の他の実施形態に係る画像処理装置で表示される入力画面の一例を示す図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１４】
画像処理装置１０は、原稿から画像データを読み取るスキャン機能、及び画像データに基づいて画像を形成するプリント機能と共に、ファクシミリ機能、及びコピー機能などの複数の機能を有する複合機である。ここに、画像処理装置１０が、本発明における情報処理装置の一例である。なお、画像処理装置１０は、スキャナー装置、プリンター装置、ファクシミリ装置、コピー機、パーソナルコンピューター、及びＡＴＭ（現金自動預け払い機）などであってもよい。
【００１５】
図１及び図２に示されるように、画像処理装置１０は、ＡＤＦ（自動原稿搬送装置）１、画像読取部２、画像形成部３、給紙部４、制御部５、操作表示部６、及び記憶部７を備える。
【００１６】
ＡＤＦ１は、画像読取部２によって読み取られる原稿を搬送する。具体的に、ＡＤＦ１は、原稿セット部、複数の搬送ローラー、原稿押さえ、及び排紙部を備える。
【００１７】
画像読取部２は、原稿から画像データを読み取ることが可能である。具体的に、画像読取部２は、原稿台、光源、複数のミラー、光学レンズ、及びＣＣＤを備える。
【００１８】
画像形成部３は、画像読取部２で読み取られた画像データに基づいて、電子写真方式でカラー又はモノクロの画像を形成することが可能である。また、画像形成部３は、外部のパーソナルコンピューター等の情報処理装置から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。なお、画像形成部３は、インクジェット方式などの他の画像形成方式により画像を形成するものであってもよい。
【００１９】
給紙部４は、画像形成部３にシートを供給する。具体的に、給紙部４は、給紙カセット、及び複数の搬送ローラーを備える。画像処理装置１０では、給紙部４から供給されるシートにカラー又はモノクロの画像が形成されて、画像形成後の前記シートが前記排紙トレイに排出される。
【００２０】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００２１】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２２】
記憶部７は、ＳＳＤ（ソリッドステートドライブ）又はＨＤＤ（ハードディスクドライブ）などの記憶装置である。なお、記憶部７は、制御部５の前記ＥＥＰＲＯＭなどであってもよい。
【００２３】
記憶部７には、ユーザーの認証に用いられるパスワードが記憶されている。ここで、前記パスワードは、予め設定された文字数の文字によって構成される文字列である。具体的に、前記文字は数字である。なお、前記文字はアルファベットであってもよい。また、前記文字は数字、アルファベット、及び記号を含むものであってもよい。また、前記パスワードは、ユーザーごとに設定されていてもよく、複数のユーザーを含むグループごとに設定されていてもよい。
【００２４】
画像処理装置１０では、ユーザーを認証する認証処理（図５のフローチャート参照）が実行される。具体的に、制御部５の前記ＲＯＭには、制御部５の前記ＣＰＵに前記認証処理を実行させるための認証プログラムが予め記憶されている。なお、前記認証プログラムは、ＣＤ、ＤＶＤ、フラッシュメモリーなどのコンピューター読み取り可能な記録媒体に記録されており、前記記録媒体から記憶部７などの記憶装置にインストールされてもよい。
【００２５】
そして、制御部５は、図２に示されるように、表示処理部５１、受付処理部５２、判定処理部５３、及び変更処理部５４を含む。具体的に、制御部５の前記ＣＰＵは、前記ＲＯＭに記憶された前記認証プログラムを実行する。これにより、制御部５は、表示処理部５１、受付処理部５２、判定処理部５３、及び変更処理部５４として機能する。ここに、制御部５、及び操作表示部６を備える構成が、本発明における表示入力装置の一例である。
【００２６】
表示処理部５１は、前記パスワードの入力に用いられる入力画面Ｇ１０（図３参照）を操作表示部６に表示させる。例えば、表示処理部５１は、画像処理装置１０の電源が投入された場合、画像処理装置１０が一部の機能が停止するスリープモードから通常モードへ復帰した場合、及び入力画面Ｇ１０の表示を指示するユーザー操作が行われた場合に、操作表示部６に入力画面Ｇ１０を表示させる。ここに、入力画面Ｇ１０が、本発明における入力画面の一例である。
【００２７】
また、表示処理部５１は、複数の前記文字と前記パスワードの入力に用いられる操作キーＧ１１０〜Ｇ１１９（図３参照）との対応関係を示す対応関係情報を入力画面Ｇ１０に表示させる。具体的に、表示処理部５１は、前記対応関係情報を、操作キーＧ１１０〜Ｇ１１９とは異なる位置であって、入力画面Ｇ１０における予め定められた位置に表示させる。
【００２８】
例えば、表示処理部５１は、前記対応関係情報を入力画面Ｇ１０上における左右方向の中央部であって、且つ上下方向の下側に表示させる。これにより、画像処理装置１０を操作するユーザーの背後に第三者がいる場合に、当該第三者から前記対応関係情報を視認しづらくなる。
【００２９】
ここで、図３を参照しつつ、入力画面Ｇ１０について説明する。図３に示されるように、入力画面Ｇ１０は、操作キー群Ｇ１１、対応関係情報表示部Ｇ１２（図３における一点鎖線で囲まれた領域）、パスワード入力欄Ｇ１３、表示サイズ表示欄Ｇ１４、操作キーＧ１５〜Ｇ１６、表示濃度表示欄Ｇ１７、操作キーＧ１８〜Ｇ１９、ログインキーＧ２０、及びキャンセルキーＧ２１を含む。
【００３０】
操作キー群Ｇ１１は、前記パスワードを構成する前記文字の入力に用いられる。具体的に、操作キー群Ｇ１１は、所謂テンキーである。図３に示されるように、操作キー群Ｇ１１は、操作キーＧ１１０〜Ｇ１１９を含む。以下、操作キーＧ１１０〜Ｇ１１９のいずれか一つを指して、操作キーＧ１１Ｘと呼称する。
【００３１】
なお、入力画面Ｇ１０に、操作キー群Ｇ１１が含まれていなくてもよい。例えば、操作表示部６に、操作キー群Ｇ１１に替わるハードキーで構成された複数の操作キーが設けられていてもよい。
【００３２】
対応関係情報表示部Ｇ１２には、前記対応関係情報が表示される。例えば、前記対応関係情報は、図３に示されるように、操作キー群Ｇ１１における操作キーＧ１１Ｘ各々の配置位置を表現した複数のマス目上に複数の前記文字が配置された図形式の情報である。例えば、図３に示される前記対応関係情報において、操作キーＧ１１１に対応する前記文字は「３」である。また、操作キーＧ１１５に対応する前記文字は「７」である。また、操作キーＧ１１９に対応する前記文字は「１」である。
【００３３】
例えば、表示処理部５１は、操作表示部６に入力画面Ｇ１０が表示される場合に、無作為に選択された前記文字が操作キーＧ１１Ｘ各々に対応付けられるように、乱数を用いて前記対応関係情報を生成する。また、表示処理部５１は、生成された前記対応関係情報を前記ＲＡＭの予め定められた第１記憶領域に記憶させる。また、表示処理部５１は、前記第１記憶領域に記憶された前記対応関係情報を入力画面Ｇ１０における対応関係情報表示部Ｇ１２に表示させる。
【００３４】
パスワード入力欄Ｇ１３には、入力画面Ｇ１０で入力された前記文字が予め定められた記号に置換されて表示される。例えば、前記記号は「＊」（アスタリスク）である（図４参照）。
【００３５】
表示サイズ表示欄Ｇ１４には、前記対応関係情報の表示サイズが表示される。図３に示されるように、表示サイズ表示欄Ｇ１４では、前記対応関係情報の表示サイズが百分率によって表示される。図３に示された対応関係情報表示部Ｇ１２では、表示サイズが１００パーセントの状態の前記対応関係情報が表示されている。
【００３６】
操作キーＧ１５〜Ｇ１６は、前記対応関係情報の表示サイズの変更に用いられる。具体的に、操作キーＧ１５は、前記対応関係情報の表示サイズの縮小に用いられる。また、操作キーＧ１６は、前記対応関係情報の表示サイズの拡大に用いられる。
【００３７】
表示処理部５１は、操作キーＧ１５〜Ｇ１６の操作に応じて、入力画面Ｇ１０に表示されている前記対応関係情報の表示サイズを変更する。例えば、表示処理部５１は、操作キーＧ１５に対する操作に応じて、表示サイズ表示欄Ｇ１４に表示されている表示サイズを１刻みで減少させると共に、当該表示サイズの減少に応じて対応関係情報表示部Ｇ１２に表示されている前記対応関係情報を縮小させる。また、表示処理部５１は、操作キーＧ１６に対する操作に応じて、表示サイズ表示欄Ｇ１４に表示されている表示サイズを１刻みで増加させると共に、当該表示サイズの増加に応じて対応関係情報表示部Ｇ１２に表示されている前記対応関係情報を拡大させる。
【００３８】
なお、表示サイズ表示欄Ｇ１４、及び操作キーＧ１５〜Ｇ１６は、操作キー群Ｇ１１の表示サイズの表示及び変更に用いられてもよい。この場合、表示処理部５１は、操作キーＧ１５〜Ｇ１６の操作に応じて、入力画面Ｇ１０に表示されている操作キー群Ｇ１１の表示サイズを変更してよい。また、表示処理部５１は、操作キーＧ１５〜Ｇ１６の操作に応じて、入力画面Ｇ１０に表示されている前記対応関係情報の表示サイズ及び操作キー群Ｇ１１の表示サイズの両方を変更してもよい。また、入力画面Ｇ１０において、表示サイズ表示欄Ｇ１４、及び操作キーＧ１５〜Ｇ１６は含まれていなくてもよい。
【００３９】
表示濃度表示欄Ｇ１７には、前記対応関係情報の表示濃度が表示される。図３に示されるように、表示濃度表示欄Ｇ１７では、前記対応関係情報の表示濃度が百分率によって表示される。図３に示された対応関係情報表示部Ｇ１２では、表示濃度が１００パーセントの状態の前記対応関係情報が表示されている。
【００４０】
操作キーＧ１８〜Ｇ１９は、前記対応関係情報の表示濃度の変更に用いられる。具体的に、操作キーＧ１８は、前記対応関係情報の表示濃度の減少に用いられる。また、操作キーＧ１９は、前記対応関係情報の表示濃度の増加に用いられる。
【００４１】
表示処理部５１は、操作キーＧ１８〜Ｇ１９の操作に応じて、入力画面Ｇ１０に表示されている前記対応関係情報の表示濃度を変更する。例えば、表示処理部５１は、操作キーＧ１８に対する操作に応じて、表示濃度表示欄Ｇ１７に表示されている表示濃度を１刻みで減少させると共に、当該表示濃度の減少に応じて対応関係情報表示部Ｇ１２に表示されている前記対応関係情報の濃度を薄くする。また、表示処理部５１は、操作キーＧ１９に対する操作に応じて、表示濃度表示欄Ｇ１７に表示されている表示濃度を１刻みで増加させると共に、当該表示濃度の増加に応じて対応関係情報表示部Ｇ１２に表示されている前記対応関係情報の濃度を濃くする。
【００４２】
なお、表示濃度表示欄Ｇ１７、及び操作キーＧ１８〜Ｇ１９は、操作キー群Ｇ１１の表示濃度の表示及び変更に用いられてもよい。この場合、表示処理部５１は、操作キーＧ１８〜Ｇ１９の操作に応じて、入力画面Ｇ１０に表示されている操作キー群Ｇ１１の表示濃度を変更してよい。また、表示処理部５１は、操作キーＧ１８〜Ｇ１９の操作に応じて、入力画面Ｇ１０に表示されている前記対応関係情報の表示濃度及び操作キー群Ｇ１１の表示濃度の両方を変更してもよい。また、入力画面Ｇ１０において、表示濃度表示欄Ｇ１７、及び操作キーＧ１８〜Ｇ１９は含まれていなくてもよい。
【００４３】
ログインキーＧ２０は、入力画面Ｇ１０における入力内容を確定させる確定操作に用いられる。具体的に、画像処理装置１０では、ログインキーＧ２０に対する操作が行われた場合に、ログインキーＧ２０の操作時までに入力画面Ｇ１０において入力された入力内容に基づいて、ユーザーの認証の成否が判定される。
【００４４】
キャンセルキーＧ２１は、操作表示部６における入力画面Ｇ１０の表示を終了させる終了操作に用いられる。例えば、画像処理装置１０では、キャンセルキーＧ２１に対する操作が行われた場合に、非ログインユーザーに対応する初期操作画面が操作表示部６に表示される。
【００４５】
受付処理部５２は、前記対応関係情報に基づいて、操作キーＧ１１Ｘの操作を当該操作キーＧ１１Ｘに対応する前記文字の入力操作として受け付ける。
【００４６】
例えば、受付処理部５２は、図３に示される入力画面Ｇ１０において操作キーＧ１１１が操作された場合に、前記対応関係情報に基づいて、操作キーＧ１１１の操作を操作キーＧ１１１に対応する前記文字「３」の入力操作として受け付ける。また、受付処理部５２は、図３に示される入力画面Ｇ１０において操作キーＧ１１５が操作された場合に、前記対応関係情報に基づいて、操作キーＧ１１５の操作を操作キーＧ１１５に対応する前記文字「７」の入力操作として受け付ける。また、受付処理部５２は、図３に示される入力画面Ｇ１０において操作キーＧ１１９が操作された場合に、前記対応関係情報に基づいて、操作キーＧ１１９の操作を操作キーＧ１１９に対応する前記文字「１」の入力操作として受け付ける。
【００４７】
例えば、受付処理部５２は、入力が受け付けられた前記文字を前記ＲＡＭの前記第１記憶領域とは異なる第２記憶領域に順次記憶させる。
【００４８】
ここで、表示処理部５１は、操作キーＧ１１Ｘが操作された場合に、予め設定された表示時間の間、入力画面Ｇ１０に表示されている前記対応関係情報に含まれる当該操作キーＧ１１Ｘに対応する前記文字を他の前記文字と識別可能に表示させる。例えば、前記表示時間は１秒である。なお、前記表示時間は、操作表示部６におけるユーザー操作に応じて任意に設定されてよい。
【００４９】
例えば、表示処理部５１は、操作キーＧ１１Ｘが操作された場合に、前記表示時間の間、入力画面Ｇ１０に表示されている前記対応関係情報に含まれる当該操作キーＧ１１Ｘに対応する前記文字の表示濃度を変更する。なお、表示処理部５１は、前記表示時間の間、入力画面Ｇ１０に表示されている前記対応関係情報に含まれる当該操作キーＧ１１Ｘに対応する前記文字の表示色を変更してもよい。また、表示処理部５１は、前記表示時間の間、入力画面Ｇ１０に表示されている前記対応関係情報に含まれる当該操作キーＧ１１Ｘに対応する前記文字が表示されるマス目領域の濃度を反転表示させてもよい。
【００５０】
なお、表示処理部５１は、以上に述べた操作キーＧ１１Ｘが操作された場合における前記表示時間の間の前記文字の表示態様を変更する処理を実行しなくてもよい。
【００５１】
判定処理部５３は、前記確定操作が行われた場合に、受付処理部５２によって入力が受け付けられた前記文字によって構成される文字列に基づいて、ユーザーの認証の成否を判定する。例えば、前記確定操作は、ログインキーＧ２０への操作である。
【００５２】
具体的に、判定処理部５３は、前記ＲＡＭの前記第２記憶領域に記憶されている前記文字によって構成される文字列と、記憶部７に記憶されている前記パスワードとが一致する場合に、ユーザーの認証が成功したと判定する。
【００５３】
なお、制御部５は、判定処理部５３によってユーザーの認証が成功したと判定された場合に、ユーザーを画像処理装置１０にログインさせるログイン処理を実行する。
【００５４】
ここで、操作表示部６に表示される前記対応関係情報が第三者によって記憶された場合に、前記パスワードを入力するユーザーの手の動きから、当該パスワードが当該第三者に漏洩するおそれがある。これに対し、本発明の実施形態に係る画像処理装置１０では、以下に説明するように、前記パスワードを入力するユーザーの手の動きから当該パスワードが第三者に漏洩することを抑制可能である。
【００５５】
変更処理部５４は、前記パスワードの文字数未満の予め設定された特定回数の操作キーＧ１１Ｘの入力操作が行われた場合に、前記対応関係を変更する。
【００５６】
例えば、前記特定回数は１である。なお、前記特定回数は、操作表示部６におけるユーザー操作に応じて任意に設定される数であってよい。また、前記特定回数は、記憶部７に記憶されている前記パスワードの文字数を２以上の予め定められた数で除算することで得られる数であってもよい。
【００５７】
具体的に、変更処理部５４は、前記特定回数の操作キーＧ１１Ｘの入力操作が行われた場合において、直前の操作キーＧ１１Ｘの操作時から前記表示時間が経過した後に、前記対応関係を変更する。
【００５８】
例えば、変更処理部５４は、無作為に選択された前記文字が操作キーＧ１１Ｘ各々に対応付けられるように、乱数を用いて前記ＲＡＭの前記第１記憶領域に記憶されている前記対応関係情報を変更する。
【００５９】
ここで、表示処理部５１は、変更処理部５４によって前記対応関係が変更された場合に、変更後の前記対応関係を示す前記対応関係情報を入力画面Ｇ１０に表示させる。
【００６０】
図４には、変更処理部５４による前記対応関係の変更の一例が示されている。具体的に、図３に示される入力画面Ｇ１０において操作キーＧ１１Ｘが操作された場合に、図４に示される入力画面Ｇ１０が表示される。図４に示される入力画面Ｇ１０では、対応関係情報表示部Ｇ１２の表示内容、即ち前記対応関係情報が、図３に示される入力画面Ｇ１０とは異なっている。例えば、図４に示される前記対応関係情報において、操作キーＧ１１１に対応する前記文字は「５」である。また、図４に示される前記対応関係情報において、操作キーＧ１１５に対応する前記文字は「８」である。また、図４に示される前記対応関係情報において、操作キーＧ１１９に対応する前記文字は「１」である。
【００６１】
なお、変更処理部５４は、予め設定された特定間隔で前記対応関係を変更してもよい。例えば、前記特定間隔は１０秒である。なお、前記特定間隔は、操作表示部６におけるユーザー操作に応じて任意に設定される時間であってよい。
【００６２】
［認証処理］
以下、図５を参照しつつ、画像処理装置１０において制御部５により実行される認証処理の手順の一例について説明する。ここで、ステップＳ１１、Ｓ１２・・・は、制御部５により実行される処理手順（ステップ）の番号を表している。例えば、制御部５は、画像処理装置１０の電源が投入された場合、画像処理装置１０が一部の機能が停止するスリープモードから通常モードへ復帰した場合、及び入力画面Ｇ１０の表示を指示するユーザー操作が行われた場合に、前記認証処理を実行する。
【００６３】
＜ステップＳ１１＞
まず、ステップＳ１１において、制御部５は、入力画面Ｇ１０を操作表示部６に表示させると共に、前記対応関係情報を入力画面Ｇ１０の対応関係情報表示部Ｇ１２に表示させる。ここで、ステップＳ１１の処理は、制御部５の表示処理部５１により実行される。
【００６４】
例えば、制御部５は、無作為に選択された前記文字が操作キーＧ１１Ｘ各々に対応付けられるように、乱数を用いて前記対応関係情報を生成する。そして、制御部５は、生成された前記対応関係情報を前記ＲＡＭの前記第１記憶領域に記憶させる。また、制御部５は、前記第１記憶領域に記憶された前記対応関係情報を入力画面Ｇ１０における対応関係情報表示部Ｇ１２に表示させる。
【００６５】
＜ステップＳ１２＞
ステップＳ１２において、制御部５は、ステップＳ１１で表示された入力画面Ｇ１０において、操作キーＧ１１Ｘへの操作が検出されたか否かを判断する。
【００６６】
ここで、制御部５は、操作キーＧ１１Ｘへの操作が検出されたと判断すると（Ｓ１２のＹｅｓ側）、処理をステップＳ１３に移行させる。また、操作キーＧ１１Ｘへの操作が検出されていなければ（Ｓ１２のＮｏ側）、制御部５は、処理をステップＳ１４に移行させる。
【００６７】
＜ステップＳ１３＞
ステップＳ１３において、制御部５は、以下に述べる入力受付処理を実行する。
【００６８】
［入力受付処理］
ここで、図６を参照しつつ、前記認証処理のステップＳ１３で実行される入力受付処理について説明する。なお、前記認証処理のステップＳ１４以降の処理の説明は、前記入力受付処理の説明の終了後に行う。
【００６９】
＜ステップＳ３１＞
まず、ステップＳ３１において、制御部５は、前記対応関係情報に基づいて、前記認証処理のステップＳ１２で検出された操作キーＧ１１Ｘの操作を当該操作キーＧ１１Ｘに対応する前記文字の入力操作として受け付ける。ここで、ステップＳ３１の処理は、制御部５の受付処理部５２により実行される。
【００７０】
例えば、制御部５は、前記ＲＡＭの前記第１記憶領域に記憶されている前記対応関係情報に基づいて、前記認証処理のステップＳ１２で検出された操作キーＧ１１Ｘに対応する前記文字を特定する。そして、制御部５は、特定された前記文字を前記ＲＡＭの前記第２記憶領域に記憶させる。
【００７１】
＜ステップＳ３２＞
ステップＳ３２において、制御部５は、前記表示時間の間、入力画面Ｇ１０に表示されている前記対応関係情報に含まれる複数の前記文字のうち、ステップＳ３１で入力が受け付けられた前記文字を他の前記文字と識別可能に表示させる。ここで、ステップＳ３２の処理は、制御部５の表示処理部５１により実行される。
【００７２】
例えば、制御部５は、前記表示時間の間、入力画面Ｇ１０に表示されている前記対応関係情報に含まれるステップＳ３１で入力が受け付けられた前記文字の表示濃度を変更する。これにより、ユーザーによる前記パスワードの入力ミスが抑制される。なお、ステップＳ３２の処理は省略されてもよい。
【００７３】
＜ステップＳ３３＞
ステップＳ３３において、制御部５は、前記特定回数の操作キーＧ１１Ｘの操作が行われたか否かを判断する。
【００７４】
例えば、制御部５は、ステップＳ３１の処理が実行される毎に、当該処理の実行回数をカウントする。そして、制御部５は、カウント値が前記特定回数に達した場合に、前記特定回数の操作キーＧ１１Ｘの操作が行われたと判断する。なお、制御部５は、前記特定回数の操作キーＧ１１Ｘの操作が行われたと判断した場合に、前記カウント値を０にリセットする。
【００７５】
ここで、制御部５は、前記特定回数の操作キーＧ１１Ｘの操作が行われたと判断すると（Ｓ３３のＹｅｓ側）、処理をステップＳ３４に移行させる。また、前記特定回数の操作キーＧ１１Ｘの操作が行われていなければ（Ｓ３３のＮｏ側）、制御部５は、前記入力受付処理を終了させる。
【００７６】
＜ステップＳ３４＞
ステップＳ３４において、制御部５は、前記対応関係を変更する。ここで、ステップＳ３４の処理は、制御部５の変更処理部５４により実行される。
【００７７】
具体的に、制御部５は、ステップＳ３２の処理の終了後に、前記対応関係を変更する。
【００７８】
例えば、制御部５は、無作為に選択された前記文字が操作キーＧ１１Ｘ各々に対応付けられるように、乱数を用いて前記ＲＡＭの前記第１記憶領域に記憶されている前記対応関係情報を変更する。
【００７９】
＜ステップＳ３５＞
ステップＳ３５において、制御部５は、ステップＳ３４による変更後の前記対応関係を示す前記対応関係情報を入力画面Ｇ１０に表示させる。ここで、ステップＳ３５の処理は、制御部５の表示処理部５１により実行される。
【００８０】
以上で、前記入力受付処理の説明を終了して、前記認証処理のステップＳ１４以降の処理の説明を再開する。
【００８１】
＜ステップＳ１４＞
ステップＳ１４において、制御部５は、入力画面Ｇ１０における前記対応関係情報の表示サイズを変更するサイズ変更操作が検出されたか否かを判断する。具体的に、制御部５は、操作キーＧ１５及び操作キーＧ１６のいずれかへの操作が検出された場合に、前記サイズ変更操作が検出されたと判断する。
【００８２】
ここで、制御部５は、前記サイズ変更操作が検出されたと判断すると（Ｓ１４のＹｅｓ側）、処理をステップＳ１５に移行させる。また、前記サイズ変更操作が検出されていなければ（Ｓ１４のＮｏ側）、制御部５は、処理をステップＳ１６に移行させる。
【００８３】
＜ステップＳ１５＞
ステップＳ１５において、制御部５は、ステップＳ１４で検出された前記サイズ変更操作に応じて、入力画面Ｇ１０における前記対応関係情報の表示サイズを変更する。ここで、ステップＳ１５の処理は、制御部５の表示処理部５１により実行される。
【００８４】
例えば、制御部５は、操作キーＧ１５に対する操作に応じて、対応関係情報表示部Ｇ１２に表示されている前記対応関係情報の表示サイズを縮小させる。また、制御部５は、操作キーＧ１６に対する操作に応じて、対応関係情報表示部Ｇ１２に表示されている前記対応関係情報の表示サイズを拡大させる。これにより、ユーザーは、自らの視認性を損なわない範囲内で、第三者が前記対応関係情報を視認しづらくなるように前記対応関係情報の表示サイズを調整することが可能である。
【００８５】
＜ステップＳ１６＞
ステップＳ１６において、制御部５は、入力画面Ｇ１０における前記対応関係情報の表示濃度を変更する濃度変更操作が検出されたか否かを判断する。具体的に、制御部５は、操作キーＧ１８及び操作キーＧ１９のいずれかへの操作が検出された場合に、前記濃度変更操作が検出されたと判断する。
【００８６】
ここで、制御部５は、前記濃度変更操作が行われたと判断すると（Ｓ１６のＹｅｓ側）、処理をステップＳ１７に移行させる。また、前記濃度変更操作が行われていなければ（Ｓ１６のＮｏ側）、制御部５は、処理をステップＳ１８に移行させる。
【００８７】
＜ステップＳ１７＞
ステップＳ１７において、制御部５は、ステップＳ１６で検出された前記濃度変更操作に応じて、入力画面Ｇ１０における前記対応関係情報の表示濃度を変更する。ここで、ステップＳ１７の処理は、制御部５の表示処理部５１により実行される。
【００８８】
例えば、制御部５は、操作キーＧ１８に対する操作に応じて、対応関係情報表示部Ｇ１２に表示されている前記対応関係情報の表示濃度を減少させる。また、制御部５は、操作キーＧ１９に対する操作に応じて、対応関係情報表示部Ｇ１２に表示されている前記対応関係情報の表示濃度を増加させる。これにより、ユーザーは、自らの視認性を損なわない範囲内で、第三者が前記対応関係情報を視認しづらくなるように前記対応関係情報の表示濃度を調整することが可能である。
【００８９】
なお、ステップＳ１４〜ステップＳ１７の処理の一部又は全部は省略されてもよい。
【００９０】
＜ステップＳ１８＞
ステップＳ１８において、制御部５は、入力画面Ｇ１０における入力内容を確定させる前記確定操作が検出されたか否かを判断する。具体的に、制御部５は、ログインキーＧ２０への操作が検出された場合に、前記確定操作が検出されたと判断する。
【００９１】
ここで、制御部５は、前記確定操作が検出されたと判断すると（Ｓ１８のＹｅｓ側）、処理をステップＳ１９に移行させる。また、前記確定操作が検出されていなければ（Ｓ１８のＮｏ側）、制御部５は、処理をステップＳ１２に移行させる。
【００９２】
＜ステップＳ１９＞
ステップＳ１９において、制御部５は、ユーザーの認証が成功したか否かを判断する。ここで、ステップＳ１９の処理は、制御部５の判定処理部５３により実行される。
【００９３】
具体的に、制御部５は、前記ＲＡＭの前記第２記憶領域に記憶されている前記文字によって構成される文字列と記憶部７に記憶されている前記登録情報とが一致する場合に、ユーザーの認証が成功したと判断する。
【００９４】
ここで、制御部５は、ユーザーの認証が成功したと判断すると（Ｓ１９のＹｅｓ側）、処理をステップＳ１９１に移行させる。また、ユーザーの認証が失敗した場合は（Ｓ１９のＮｏ側）、制御部５は、処理をステップＳ２０に移行させる。
【００９５】
＜ステップＳ２０＞
ステップＳ２０において、制御部５は、認証に失敗した旨のメッセージを操作表示部６に表示させる。
【００９６】
＜ステップＳ１９１＞
ステップＳ１９１において、制御部５は、前記ログイン処理を実行する。
【００９７】
このように、画像処理装置１０では、前記特定回数の操作キーＧ１１Ｘの入力操作が行われる毎に、前記対応関係が変更される。これにより、前記パスワードを入力するユーザーの背後に第三者がいる場合であっても、当該第三者がユーザーの手の動きと入力画面Ｇ１０に表示されている前記対応関係情報とから前記パスワードを推測することが困難となる。そのため、前記パスワードを入力するユーザーの手の動きから当該パスワードが第三者に漏洩することが抑制される。
【００９８】
［他の実施形態］
なお、表示処理部５１は、図７に示される入力画面Ｇ３０のように、前記対応関係情報が表示される対応関係情報表示部Ｇ１２を入力画面Ｇ３０上における左右方向の一方側の端部に表示させると共に、操作キー群Ｇ１１を入力画面Ｇ３０における左右方向の他方側の端部に表示させてもよい。これにより、前記対応関係情報及び操作キー群Ｇ１１が隣接して配置される構成と比較して、画像処理装置１０を操作するユーザーの背後に第三者がいる場合に、当該第三者において前記対応関係情報の内容及び操作キー群Ｇ１１を操作するユーザーの手の動きの両方を同時に把握することが困難となる。なお、図７に示される入力画面Ｇ３０は、構成要素の配置位置が異なる点を除けば、図３に示される入力画面Ｇ１０と同一である。ここに、入力画面Ｇ３０が、本発明における入力画面の他の一例である。
【００９９】
また、表示処理部５１は、図８に示される入力画面Ｇ４０のように、互いに前記対応関係が異なる複数の前記対応関係情報を入力画面Ｇ４０上に表示させてもよい。ここで、図８に示される入力画面Ｇ４０では、ダミー情報表示部Ｇ２２〜Ｇ２３が設けられている。ダミー情報表示部Ｇ２２〜Ｇ２３には、対応関係情報表示部Ｇ１２に表示されている前記対応関係情報とは前記対応関係が異なる前記対応関係情報が表示される。なお、図８に示される入力画面Ｇ４０は、ダミー情報表示部Ｇ２２〜Ｇ２３が追加されている点を除けば、図３に示される入力画面Ｇ１０と同一である。ここに、入力画面Ｇ４０が、本発明における入力画面の他の一例である。
【０１００】
この場合、受付処理部５２は、対応関係情報表示部Ｇ１２に表示される前記対応関係情報に基づいて、操作キーＧ１１Ｘの操作を当該操作キーＧ１１Ｘに対応する前記文字の入力操作として受け付ける。ここに、対応関係情報表示部Ｇ１２に表示される前記対応関係情報が、本発明における第１対応関係情報の一例である。
【０１０１】
また、変更処理部５４は、前記特定回数の操作キーＧ１１Ｘの入力操作が行われた場合に、入力画面Ｇ４０に表示されている前記対応関係各々を変更する。なお、変更処理部５４は、前記特定間隔で前記対応関係を変更してもよい。
【０１０２】
また、表示処理部５１は、変更処理部５４によって前記対応関係各々が変更される場合に、対応関係情報表示部Ｇ１２の表示位置とダミー情報表示部Ｇ２２〜Ｇ２３のいずれかの表示位置とを入れ替える。なお、対応関係情報表示部Ｇ１２とダミー情報表示部Ｇ２２〜Ｇ２３とが識別可能となるように、対応関係情報表示部Ｇ１２内に予め定められた識別画像が表示されてよい。ここに、ダミー情報表示部Ｇ２２〜Ｇ２３に表示される前記対応関係情報各々が、本発明における第２対応関係情報の一例である。
【０１０３】
図９には、変更処理部５４による前記対応関係各々の変更の一例が示されている。具体的に、図８に示される入力画面Ｇ４０において操作キーＧ１１Ｘが操作された場合に、図９に示される入力画面Ｇ４０が表示される。図９に示される入力画面Ｇ４０では、対応関係情報表示部Ｇ１２、及びダミー情報表示部Ｇ２２〜Ｇ２３の表示内容、即ち複数の前記対応関係情報が、図８に示される入力画面Ｇ４０とは異なっている。また、図９に示される入力画面Ｇ４０では、対応関係情報表示部Ｇ１２とダミー情報表示部Ｇ２３との位置が入れ替わっている。これにより、前記対応関係情報が一つだけ表示される構成と比較して、画像処理装置１０を操作するユーザーの背後に第三者がいる場合に、当該第三者において操作キーＧ１１Ｘの操作によって入力される前記文字の特定に用いられる前記対応関係情報の内容を把握しづらくなる。
【０１０４】
なお、変更処理部５４は、変更処理部５４によって前記対応関係各々が変更される場合に、対応関係情報表示部Ｇ１２の表示位置とダミー情報表示部Ｇ２２〜Ｇ２３のいずれかの表示位置とを入れ替えなくてもよい。
【０１０５】
また、前記対応関係情報は、図１０に示される入力画面Ｇ５０のように、操作キーＧ１１Ｘに表示されている前記文字と、操作キーＧ１１Ｘの操作に応じて入力される前記文字との対応関係を示す表形式の情報であってもよい。なお、図１０に示される入力画面Ｇ５０は、対応関係情報表示部Ｇ１２に替えて対応関係情報表示部Ｇ２４が設けられている点、及び前記対応関係情報の表示形式が異なる点を除けば、図３に示される入力画面Ｇ１０と同一である。ここに、入力画面Ｇ５０が、本発明における入力画面の他の一例である。
【符号の説明】
【０１０６】
１    ＡＤＦ
２    画像読取部
３    画像形成部
４    給紙部
５    制御部
６    操作表示部
７    記憶部
１０  画像処理装置
５１  表示処理部
５２  受付処理部
５３  判定処理部
５４  変更処理部
【図１】
2019053662.tif 000003
【図２】
2019053662.tif 000004
【図３】
2019053662.tif 000005
【図４】
2019053662.tif 000006
【図５】
2019053662.tif 000007
【図６】
2019053662.tif 000008
【図７】
2019053662.tif 000009
【図８】
2019053662.tif 000010
【図９】
2019053662.tif 000011
【図１０】
2019053662.tif 000012